(57)【特許請求の範囲】
【請求項１】
上部一側が開放されて一側面に出入口（11）が備えられた半身浴槽（10）と、
前記半身浴槽（10）の上部に開放された空間を開閉するように設けられ、一側面に出入口（11）を開閉する出入ドア（22）が具備された一方、使用者の胴体を収容する開放孔（21）が具備された蓋パネル（20）と、
前記半身浴槽（10）において内部空間の上部に具備され、使用者が下半身を広げて座るように底材（31）が安置されたサウナ室（30）と、
前記半身浴槽（10）においてサウナ室（30）の下部に具備され、支持板（42）上にスチーム管（41a）が設けられたスチーム室（40）と、
前記半身浴槽（10）の内部空間において一側の底に設けられ、スチーム管（41a）にスチームを供給するスチーム器（50a）と、を含み、
前記スチーム室（40）に設けられたスチーム管（41a）は、上部両方向にスチームを放出する排気孔が一定の間隔で穿孔される一方、使用者の足側に位置する部分が高く傾いてジグザグ状に設置されたことを特徴とするスチーム燻蒸半身浴サウナ器。
【請求項２】
スチーム器（50a）は、
収容された水を予熱するヒーター（59a）と、内部空間に水を供給する給水管（91）と、収容された水の水位を感知する水位センサー（55）とが設置された予熱チャンバー（51a）と、
前記予熱チャンバー（51a）の一側に具備され、収容された水を加熱するヒーター（59ｂ）と、予熱チャンバー（51a）と貫通されて水が供給される流入孔（58a）と、スチームが排気される放出孔（66）とが形成された加熱チャンバー（53a）と、
前記加熱チャンバー（53a）において放出孔（66）の上部に具備され、スチームが排気されるスチーム管（41a）と、内部空間を開閉するカバー（61a）とが設置されたスチームチャンバー（54a）と、
前記スチームチャンバー（54a）の内部空間に内蔵され、薬材が収容される薬材入れ（65）と、を含んで構成されることを特徴とする請求項１に記載のスチーム燻蒸半身浴サウナ器。
【請求項３】
予熱チャンバー（51a）とスチーム管（41a）に回収管（56ｂ）が連結設置されてスチーム管（41a）から生成された凝縮水が予熱チャンバー（51a）に流入されることを特徴とする請求項２に記載のスチーム燻蒸半身浴サウナ器。
【請求項４】
上部一側が開放されて一側面に出入口（11）が備えられた半身浴槽（10）と、
前記半身浴槽（10）の上部に開放された空間を開閉するように設けられ、一側面に出入口（11）を開閉する出入ドア（22）が具備された一方、使用者の胴体を収容する開放孔（21）が具備された蓋パネル（20）と、
前記半身浴槽（10）の内部空間の上部に具備され、使用者が下半身を広げて座るように底材（31）が安置されたサウナ室（30）と、
前記半身浴槽（10）のサウナ室（30）の下部に具備され、支持板（42）上にスチーム管（41ｂ）が設けられたスチーム室（40）と、
前記半身浴槽（10）の内部空間の一側の底に設けられ、スチーム管（41ｂ）にスチームを供給するスチーム器（50ｂ）と、
水ポンプ（90）として前記スチーム器（50ｂ）に水を供給するメイン水タンク（70）及び、メイン水タンク（70）とスチーム器（50ｂ）との間に構成されてスチーム器（50ｂ）に供給される水の量を制御する補助水タンク（80）と、を含んで構成されることを特徴とするスチーム燻蒸半身浴サウナ器。
【請求項５】
前記スチーム器（50ｂ）は、
補助水タンク（80）から供給される水を供給される給水チャンバー（51ｂ）と、
前記給水チャンバー（51ｂ）の一側に具備され、収容された水の水位を感知する水位センサー（55）と、スチーム管（41ｂ）と連結されてスチーム管（41ｂ）から生成された凝縮水を流入させる回収管（56ｂ）とが構成され、給水チャンバー（51ｂ）の水が水よけ（57ｂ）の上部の流入孔（58ｄ）を通じて供給される回収チャンバー（51ｃ）と、
前記回収チャンバー（51ｃ）の一側に具備され、収容された水を加熱するヒーター（59ｃ）が構成されてスチームを生成し、回収チャンバー（51ｃ）の水が水よけ（57ｃ）の下部の流入孔（58e）を通じて供給される加熱チャンバー（53ｂ）と、
前記加熱チャンバー（53ｂ）の上部に具備され、スチームが排気されるスチーム管（41ｂ）と、内部空間を開閉するカバー（61ｂ）とが構成されるスチームチャンバー（54ｂ）と、
前記スチームチャンバー（54ｂ）の内部に安着され、薬材が収容される薬材入れ（65）を上部面に位置させる薬材入れ支え板（60）と、を含んで構成されることを特徴とする請求項４に記載のスチーム燻蒸半身浴サウナ器。
【請求項６】
前記スチーム管（41ｂ）は、一定角度曲がり、スチーム管（41ｂ）と連結される回収管（56ｂ）がスチーム管（41ｂ）と一直線を形成するよう構成されることを特徴とする請求項５に記載のスチーム燻蒸半身浴サウナ器。
【請求項７】
前記薬材入れ支え板（60）は、一定の高さを有する複数の突出棒（63）が上部面に構成される多孔性の板（64）状に構成されることを特徴とする請求項４に記載のスチーム燻蒸半身浴サウナ器。
【請求項８】
前記補助水タンク（80）は、スチーム器（50ｂ）及びメイン水タンク（70）より高い位置に構成され、
補助水タンク（80）に水を供給する補助水タンク給水管（71）の一側端とスチーム器（50ｂ）に水を供給する給水チャンバー 給水管（81）の一側端とを内在し、前記給水チャンバー 給水管（81）の一側端は、補助水タンク給水管（71）の一側端より高い位置に構成されることを特徴とする請求項４に記載のスチーム燻蒸半身浴サウナ器。
【請求項９】
前記スチーム管（41ｂ）は、上部両方向にスチームを放出する排気孔が一定の間隔で穿孔され、使用者の足側に位置する部分が高く傾くように構成され、
スチーム器（50ｂ）と連結された側の部分と使用者の足側が位置した部分が一直線状を有するよう構成されることを特徴とする請求項４に記載のスチーム燻蒸半身浴サウナ器。
【発明の詳細な説明】
【技術分野】
【０００１】
本発明は、身体の下半身をスチームで温かく燻蒸して血液循環及び新陳代謝を活性化する半身浴サウナ器に関する技術であって、より詳しく説明すると、使用者が下半身（脚）を広げて楽に座れるようにサウナ室が備えられる一方、スチーム器からスチーム管を通じてサウナ室に薬材スチームが満遍なく注入され、サウナ室の蓋パネルと出入ドアが一体に具備されるだけでなく、身体の下半身を薬材スチームにて燻蒸して血液循環・新陳代謝・婦人病・ストレス・冷性・成人病・皮膚疾患などを予防及び治療するスチーム燻蒸半身浴サウナ器に関するものである。
【背景技術】
【０００２】
通常、半身浴とは、頭部を冷たくしながら下半身（脚）を温かくして身体の健康を図るお風呂の方法であって、体温のバランスをとり、身体の血液循環を活性化して新陳代謝を促進し、またお風呂の本来の機能である皮膚表面と毛穴の中の老廃物の除去、筋肉の弛緩はもちろん、肩こり、腰痛、生理通、風邪などの症状にも効果がある。
【０００３】
殆どの温度計を通して体温を測ると、上半身より下半身の体温が低いが、漢方ではこのような状態を下半身の気血の循環が円滑ではないために生じる冷性といって様々な病気の原因になるとみており、このような原因から着目した半身浴は、温かいお湯で下半身の体温を高めて体全体のバランスをとって血液循環の障害と冷性を解消する健康法であって、朝鮮時代末に半身浴を漢方に利用したという記録があり、現代の漢方でも補助療法として使われている。
【０００４】
半身浴をする方法は、まず、体温より高い３７〜３９℃程度の緩い水を浴槽に入れた状態で、足と下半身にお湯をかけて上半身と下半身の体温の差をある程度整えた後、浴槽に入って胸の下まで水に浸し、このように水に入った状態でおよそ１０〜２０分間半身浴をしているうち水が冷めると少しずつお湯を加え、この際に肩や腕部分を水の中に入れないことが重要で、効果を高めるためには最後に我慢できる程度までの熱さのお湯を入れて７〜８分間浸すとさらに効果があるとみられている。
【０００５】
半身浴は１週間に２〜３回以上規則的にすることが良く、用意しておいたお湯に蜜柑の皮や松葉及び緑茶を入れると熱い感じも抑え、香りもさらに楽しむことができ、お風呂の後の寒気も防ぐ効果もあると知られている。
【０００６】
一方、半身浴の効果としては上半身を冷たくし、下半身は熱くして血液循環の障害を引き起こす冷性を解消することで、身体を頭寒足熱の状態にして収縮した血管を拡張して血液循環を活性化するため、血圧を下げる一方、汗をかくことで身体の中にある老廃物と毒素を排出して生理不順や生理通などのような婦人病・風邪予防・精神的な緊張・ストレス・糖尿病・肩肘痛・関節痛・疲労回復・冷性解消・成人病・皮膚疾患・前立腺などの予防及び治療に効果があると知られている。
【０００７】
ところが、従来方法で行われている半身浴は、体温より高い風呂水を用意しなければならないという不便さと共に、長時間かかるという問題があるため、過重な業務と日常に疲れた現代人が一週間に２〜３回以上規則的にするということは難しい実情である。
【０００８】
特に、半身浴のために使われるお湯がおよそ１００〜１２０リットルぐらいであることを考えると、比較的に大量の水を消費してしまうため経済面で無駄であるという問題がある。
【０００９】
従って、最近はスチームを利用して身体の下半身を燻蒸する半身浴装置が様々な形態で提供されており、その代表的な例として大韓民国登録実用新案第２０−０３５７７２７号（半身浴装置）が提案されている。
【００１０】
前記で提案された半身浴装置は、発熱ボックスから生成された蒸気と熱が複数のホースを通じてサウナ室に注入されるように構成されているが、複数のホースを通じて蒸気と熱をサウナ室に注入する場合、構造が非常に複雑であり、事実上蒸気と熱をサウナ室に満遍なく注入できないため半身浴の効果が低下するという問題がある。
【発明の概要】
【発明が解決しようとする課題】
【００１１】
本発明は、従来に提案された半身浴装置の問題点を改善するため導き出された技術であって、使用者が下半身（脚）を広げて楽に座れるようにサウナ室が備えられ、スチームの生成に優れた構造のスチーム器及びスチーム管を提示してサウナ室に薬材スチームが満遍なく注入されるようにし、スチーム器へ供給される水の量を正確に調節してスチーム器から生成されるスチームの量を適切に調節可能にするスチーム燻蒸半身浴サウナ器を提供することを主な目的とする。
【課題を解決するための手段】
【００１２】
本発明は前記のような目的を解決すべく、
上部一側が開放されて一側面に出入口が備えられた半身浴槽と、前記半身浴槽の上部に開放された空間を開閉するように設けられ、一側面に出入口を開閉する出入ドアが具備された一方、使用者の胴体を収容する開放孔が具備された蓋パネルと、前記半身浴槽において内部空間の上部に具備され、使用者が下半身を広げて座るように底材が安置されたサウナ室と、前記半身浴槽からサウナ室の下部に具備され、支持板上にスチーム管が設けられたスチーム室と、前記半身浴槽の内部空間から一側の底に設けられ、スチーム管にスチームを供給するスチーム器と、を含み、前記スチーム室に設けられたスチーム管は、上部両方向にスチームを放出する排気孔が一定の間隔で穿孔される一方、使用者の足側に位置する部分が高く傾いた構成をするか、水ポンプとして前記スチーム器に水を供給するメイン水タンク、及びメイン水タンクとスチーム器との間に構成されてスチーム器に供給される水の量を制御する補助水タンクを含んで構成されるスチーム燻蒸半身浴サウナ器を提示する。
【発明の効果】
【００１３】
前記のように提示された本発明によるスチーム燻蒸半身浴サウナ器は、使用者が下半身（脚）を広げて楽に座れるようにサウナ室が備えられ、スチームの生成に優れた構造のスチーム器及びスチーム管を提示してサウナ室に薬材スチームが満遍なく注入されるようにし、スチーム器に供給される水の量を正確に調節してスチーム器から生成されるスチームの量を適切に調節可能にするという効果が得られる。
【図面の簡単な説明】
【００１４】
【図１】図１は本発明の好ましい実施例によるスチーム燻蒸半身浴サウナ器を図示した斜視図である。
【図２】図２は本発明の好ましい実施例によるスチーム燻蒸半身浴サウナ器を図示した斜視図（蓋パネル開放状態）である。
【図３】図３は本発明の好ましい実施例によるスチーム燻蒸半身浴サウナ器を図示した断面図である。
【図４】図４は本発明の他の好ましい実施例によるスチーム燻蒸半身浴サウナ器を図示した断面図である。
【図５】図５は本発明の好ましい実施例によるスチーム燻蒸半身浴サウナ器を図示した側断面図である。
【図６】図６は本発明の好ましい実施例によるスチーム燻蒸半身浴サウナ器のスチーム管を図示した部分断面図である。
【図７】図７は（ａ）乃至（ｂ）は本発明の他の好ましい実施例によるスチーム燻蒸半身浴サウナ器のスチーム管を図示した部分断面図である。
【図８】図８は本発明の好ましい実施例によるスチーム燻蒸半身浴サウナ器のスチーム器を図示した断面図である。
【図９】図９は本発明の他の好ましい実施例によるスチーム燻蒸半身浴サウナ器のスチーム器、メイン水タンク及び補助水タンクを図示した断面図である。
【図１０】図１０は本発明の他の好ましい実施例によるスチーム燻蒸半身浴サウナ器の メイン水タンク及び補助水タンクを図示した断面図である。
【図１１】図１１は本発明の他の好ましい実施例によるスチーム燻蒸半身浴サウナ器のスチーム器を図示した断面斜視図である。
【符号の説明】
【００１５】
１０  半身浴槽
１１  出入口
１４  コントローラ
２０  蓋パネル
２１  開放孔
２２  出入ドア
３０  サウナ室
３１  底材
３２  サポート
４０  スチーム室
４１  スチーム管
５０ａ、５０ｂ  スチーム器
５１ａ  予熱チャンバー
５１ｂ  給水チャンバー
５１ｃ  回収チャンバー
５３ａ、５３ｂ  加熱チャンバー
５４ａ、５４ｂ  スチームチャンバー
５５  水位センサー
５６ａ、５６ｂ  回収管
５７ａ、５７ｂ  水よけ
５８ａ、５８ｂ、５８ｄ、５８ｅ  流入孔
５９ａ、５９ｂ、５９ｃ  ヒーター
６０  薬材入れ支え板
６１ａ、６０ｂ  カバー
６２  支え段差
６３  突出棒
６４  多孔性の板
６５  薬材入れ
７０  メイン水タンク
７１  補助水タンク給水管
８０  補助水タンク
８１  給水チャンバー給水管
８２  通気孔
９０  水ポンプ
９１  給水管
【発明を実施するための形態】
【００１６】
本発明は、身体の下半身をスチームで温かく燻蒸して血液循環及び新陳代謝を活性化する半身浴サウナ器に関する技術であって、上部一側が開放されて一側面に出入口１１が備えられた半身浴槽１０と、前記半身浴槽１０の上部に開放された空間を開閉するように設けられ、一側面に出入口１１を開閉する出入ドア２２が具備された一方、使用者の胴体を収容する開放孔２１が具備された蓋パネル２０と、前記半身浴槽１０において内部空間の上部に具備され、使用者が下半身を広げて座るように底材３１が安置されたサウナ室３０と、前記半身浴槽１０においてサウナ室３０の下部に具備され、支持板４２上にスチーム管４１ａ、４１ｂが設けられたスチーム室４０と、前記半身浴槽１０の内部空間において一側の底に設けられ、スチーム管４１ａ、４１ｂにスチームを供給するスチーム器５０ａ、５０ｂと、を含み、前記スチーム室４０に設けられたスチーム管４１ａは、上部両方向にスチームを放出する排気孔が一定の間隔で穿孔される一方、使用者の足側に位置する部分が高く傾いてジグザグ状に設置された構成をするか、水ポンプ９０として前記スチーム器５０ａ、５０ｂに水を供給するメイン水タンク７０及び、メイン水タンク７０とスチーム器５０ａ、５０ｂとの間に構成されてスチーム器５０ａ、５０ｂに供給される水の量を制御する補助水タンク８０を含んで構成されるスチーム燻蒸半身浴サウナ器に関する。
【００１７】
以下、本発明の実施例を図示した図１乃至図１１を参考に本発明を具体的に説明する。
【００１８】
まず、本発明による半身浴槽１０は、図１乃至図４のように、内部空間の上部と下部にそれぞれサウナ室３０とスチーム室４０が備えられ、使用者がサウナ室３０に出入りするように上部一側が開放される一方、開放された空間と連通するように一側面に出入口１１が備えられ、底面部には半身浴槽１０の運搬と移動が簡単であるように移動用キャスター１３（ｃａｓｔｅｒ）が取り付けられることができる。また、前記半身浴槽１０は、内部空間に備えられたサウナ室３０で使用者が下半身（脚）を広げて楽に座れるように十分な長さと幅を有するように具備され、身体に無害な原木を使用して製作することが好ましく、内部空間の通風のために一側面に喚起窓１２が設置される一方、上部にスチーム器５０ａ、５０ｂの動作を制御するコントローラ１４が位置する。
【００１９】
尚、本発明は、前記半身浴槽１０の上部に開放された空間を開閉するように設けられ、一側面に出入口１１を開閉する出入ドア２２が具備された一方、使用者の体を収容する開放孔２１が具備された蓋パネル２０が構成されるが、蓋パネル２０は使用者がサウナ室３０に出入りする場合、これを開閉して出入空間を設ける一方、開放された空間を可能な限り密閉する機能をするものであって、半身浴槽１０の開放された上部にヒンジ（蝶番）で回動可能に設置されて開閉作動が行われる。
【００２０】
前記において蓋パネル２０は、半身浴槽１０の上部面と隣接する端部に使用者の体を収容する開放孔２１が形成される一方、一側面に半身浴槽１０の出入口１１を開閉する出入ドア２２が一体に具備され、ここで、蓋パネル２０に出入ドア２２が一体に具備されることで、蓋パネル２０を回動して開けると、半身浴槽１０から上部空間と側面の出入口１１が同時に開放するため、使用者が出入口１１と上部空間を通じてサウナ室３０に出入りするのが便利である。
【００２１】
前記蓋パネル２０から使用者の体を収容する開放孔２１は、使用者の胴体より広い空間で具備され、使用者がサウナ室３０に座っている状態で、使用者の胴体と開放孔２１との間の空間を可能な限り密閉するように開放孔２１に布や合成樹脂フィルムでカバー（未図示）を設置することが好ましく、蓋パネル２０が半身浴槽１０の開放された上部空間と出入口１１を可能な限り密閉するためスチームがサウナ室３０から外部へ放出されないように遮断する。
【００２２】
さらに、半身浴槽１０の内部空間に備えられたサウナ室３０は、使用者が下半身を広げて楽に座り、薬材スチームを燻蒸して半身浴を楽しむ空間であって、半身浴槽１０の内部空間の上部に具備されることが好ましく、使用者が下半身を広げて楽に座れるように上下空間が設けられる一方、底材３１が分離可能に安置される。
【００２３】
前記においてサウナ室３０の底材３１は、身体に無害な原木を使用して製作することが好ましく、一定な間隔に離隔されて微細な隙間が無いように製作され、前記サウナ室３０の内部空間から両側の内週面に水平に固定設置されたサポート３２（ｓｕｐｐｏｒｔ）上に分離可能に安置される。
【００２４】
また、半身浴槽１０の内部空間に備えられたスチーム室４０は、スチーム器５０ａ、５０ｂから供給されたスチームがスチーム管４１ａ、４１ｂを通じて放出される空間であって、半身浴槽１０の内部空間においてサウナ室３０の下部に具備され、スチーム器５０ａ、５０ｂからスチームが供給されるスチーム管４１ａ、４１ｂが支持板４２上に付着して設置される。
【００２５】
前記においてスチーム室４０は、スチーム管４１ａ、４１ｂを通じて放出されるスチームがサウナ室３０の下部に満遍なく分散してサウナ室３０の内部空間に注入されるように上下空間を有し、スチーム管４１ａ、４１ｂは、上部両方向にスチームを放出する排気孔が一定の間隔で穿孔される一方、使用者の足側に位置する部分が１〜３°ほど高く傾くように構成され、図６の一実施例によるスチーム管４１ａのようにスチーム管４１ａをジグザグ状に設置してスチームを満遍なく放出して分散させる一方、使用者の足側をより高く設置することで、使用者の足が位置する所のサウナ室３０の温度を高めることができるため、下半身のうち足の体温をより上昇させて半身浴の効果がさらに高まるようにする。
【００２６】
また、本発明による他の形態のスチーム管４１ｂは、図７の（ａ）乃至（ｂ）のように、スチーム器５０ａ、５０ｂと連結された側の部分と使用者の足側が位置した部分ができるだけ曲がることなく一直線状を有するように設置されることもできる。前記のような形態のスチーム管４１ｂは、使用者の足側が位置する部分が胴体が位置する部分に比べて高く構成されるため、足の体温をより上昇させ半身浴の効果を高めるだけでなく、スチーム器５０ａ、５０ｂから生成されたスチームがスチーム管４１ｂを通過するとき最少の屈曲を通るため、使用者の足側部分まで移動するスチームが途中で凝結することを防ぐという効果もある。尚、図７の（ｂ）のように、前記の形態をするスチーム管４１ｂ、４１ｂ'を複数構成することで、スチームがサウナ室３０内部全体の空間に満遍なく供給されるようにする効果も誘導できる。従って、本発明によるサウナ器は、スチーム器５０ａ、５０ｂから供給された薬材スチームがスチーム管４１ａ、４１ｂを通してスチーム室４０の内部空間に放出されると、図３乃至図４のように、スチームがサウナ室３０の下部に満遍なく分散することで底材３１に形成された微細な隙間を通じてサウナ室３０に満遍なく注入され、これによって、使用者はサウナ室３０から下半身を広げて楽に座って薬材スチームを燻蒸して半身浴を楽しむことができる。
【００２７】
本発明の主な構成の一つである、スチーム管４１ａ、４１ｂに薬材スチームを供給するスチーム器５０ａは、図８のように、収容された水を予熱するヒーター５９ａと、内部空間に水を供給する給水管９１と、収容された水の水位を感知する水位センサー５５が設置された予熱チャンバー５１ａと、前記予熱チャンバー５１ａの一側に具備され、収容された水を加熱するヒーター５９ｂと、予熱チャンバー５１ａと貫通されて水が供給される流入孔５８ａと、スチームが排気される放出孔６６が形成された加熱チャンバー５３ａと、前記加熱チャンバー５３ａから放出孔６６の上部に具備され、スチームが排気されるスチーム管４１ａ、４１ｂと、内部空間を開閉するカバー６１ａが設置されたスチームチャンバー５４ａと、前記スチームチャンバー５４ａの内部空間に内蔵され、薬材が収容される薬材入れ６５とを含んで具備される。
【００２８】
前記構成の本発明は、予熱チャンバー５１ａとスチーム管４１ａ、４１ｂに回収管５６ａが連結設置されてスチーム管４１ａから生成される凝縮水が予熱チャンバー５１ａへ流入されるように具備され、半身浴槽１０の一側に水タンク７０が設置される一方、前記水タンク７０に予熱チャンバー５１ａの給水管９１が連結設置される。
【００２９】
さらに本発明は、前記水タンク７０と連結された給水管９１に電子弁（未図示）を設置してコントローラ１４から水位センサー５５の信号を受けて電子弁を開閉することで、予熱チャンバー５１ａの内部空間に一定の水位に水が供給され、予熱チャンバー５１ａの内部空間の下部にヒーター５９ａが設置されて収容された水を予熱し、上部に給水管９１と水位センサー５５及び回収管５６ａが設けられる。
【００３０】
尚、加熱チャンバー５３ａは、予熱チャンバー５１ａの一側に一体に具備されることが好ましく、流入孔５８ａが下部に形成されて予熱チャンバー５１ａから予熱された水が内部空間に流入し、内部空間の下部にヒーター５９ｂが設置されて収容された水を加熱することでスチームを生成する一方、生成されたスチームが排気される放出孔６６が上部に形成される。
【００３１】
またスチームチャンバー５４ａは、加熱チャンバー５３ａから生成されたスチームが放出孔６６を通して流入されるように放出孔６６の上部に具備され、スチーム室４０に設けられたスチーム管４１ａ、４１ｂが上部に連結設置されてスチームが排気され、内部空間を開閉することができるように上部にカバー６１ａが設置される一方、予熱チャンバー５１ａと貫通されるように流入孔５８ｂが形成されて内部空間から生成された凝縮水が予熱チャンバー５１ａへ流入される。
【００３２】
またスチームチャンバー５４ａの内部空間に内蔵される薬材入れ６５は、スチームが内部空間に浸透するように編み状で具備されることが好ましく、内部空間には身体に有用な物質として蓬・ハーブ・蜜柑の皮・漢方材・フィトンチッド（ｐｈｙｔｏｎｃｉｄｅ）含有物などを内蔵することができ、スチームチャンバー５４ａのカバー６１ａを開放して薬材入れ６５を取り替えるか、或いは使用した薬材を入れ替えて半身浴をすることになる。
【００３３】
従って、スチーム器５０ａは、コントローラ１４の制御にてヒーター５９ｂが作動してスチーム温度を調節するように具備され、高温に加熱されたスチームが薬材入れ６５に浸透して身体に有用な薬材成分が混合された後、スチーム管４１ａを通ってスチーム室４０へ放出され、スチーム管４１ａ、４１ｂが傾いて使用者の足側に位置する部分が高く設置されることで、スチーム管４１ａから生成されたスチームが回収管５６ａを通して予熱チャンバー５１ａへ流入される。
【００３４】
また、半身浴槽１０の内部空間において一側の底に設けられ、スチーム管４１ａ、４１ｂにスチームを供給する本発明によるまた他の構成のスチーム器５０ｂは、補助水タンク８０から水が供給される給水チャンバー５１ｂと、前記給水チャンバー５１ｂの一側に具備され、収容された水の水位を感知する水位センサー５５と、スチーム管４１ａ、４１ｂと連結されてスチーム管４１ａ、４１ｂから生成された凝縮水を流入させる回収管５６ｂが構成され、給水チャンバー５１ｂの水が水よけ５７ｂの上部の流入孔５８ｄを通じて供給される回収チャンバー５１ｃと、前記回収チャンバー５１ｃの一側に具備され、収容された水を加熱するヒーター５９ｃが構成されてスチームを生成し、回収チャンバー５１ｃの水が水よけ５７ｃの下部の流入孔５８ｅを通じて供給される加熱チャンバー５３ｂと、前記加熱チャンバー５３ｂの上部に具備され、スチームが排気されるスチーム管４１ａ、４１ｂと内部空間を開閉するカバー６１ａとが構成されるスチームチャンバー５４ｂと、前記スチームチャンバー５４ｂの内部に安着され、薬材が収容される薬材入れ６５を上部面に位置させる薬材入れ支え板６０と、を含む構成を有する。
【００３５】
詳しくは、前記給水チャンバー５１ｂは、図９のように、補助水タンク８０から供給された水を一次的に収容する構成であって、給水チャンバー５１ｂと回収チャンバー５１ｃを区分する水よけ５７ｂの上部に構成された流入孔５８ｄを通じて給水チャンバー５１ｂの水を回収チャンバー５１ｃへ流入させる機能をする。この際、給水チャンバー５１ｂは、補助水タンク８０から供給された加熱されない水を回収チャンバー５１ｃ及び加熱チャンバー５３ｂと区分することで、スチーム器５０ｂによる水加熱の効率性を高めることができ、水よけ５７ｂの上部に流入孔５８ｄを構成して給水チャンバー５１ｂの水を回収チャンバー５１ｃへ流入させることで、回収チャンバー５１ｃ内に収容された給水チャンバー５１ｂより高い温度の水が、給水チャンバー５１ｂへ流入して回収チャンバー５１ｃ内に収容された水の温度が低くなることを防ぐという効果が得られる。
【００３６】
また、前記給水チャンバー５１ｂの水が供給される回収チャンバー５１ｃは、給水チャンバー５１ｂの一側に具備され、収容された水の水位を感知する水位センサー５５と、スチーム管４１ａ、４１ｂと連結されてスチーム管４１ａ、４１ｂから生成された凝縮水を流入させる回収管５６ｂとが構成される。このとき、前記水位センサー５５は、回収チャンバー５１ｃ内に収容された水の水位を感知し、感知した水の水位を信号化してメイン水タンク７０と連結された給水管に構成される電子弁または水ポンプに信号を伝達することで、水を給水チャンバー５１ｂへ供給し、給水チャンバー５１ｂに供給された水を回収チャンバー５１ｃへ供給されるようにする。また回収管５６ｂは、スチーム管４１ａ、４１ｂと連結されて、スチーム管４１ａ、４１ｂからスチームが凝縮されて生成された凝縮水を回収チャンバー５１ｃへ流入させて再使用するための構成であって、図８のように、一直線状のスチーム管４１ａの一側に回収管５６ａが構成されることもでき、図９または図１１のように、一定角度曲がったスチーム管４１ｂと連結された回収管５６ｂがスチーム管４１ｂと一直線を形成するように構成されることも可能である。前記のような構成の回収管５６ｂとスチーム管４１ｂの構成は、スチーム管４１ｂが一直線状に構成された形態に回収管５６ｂが垂直に連結される形態を有するとき、凝縮水が回収管５６ｂへ流入されずスチームチャンバー５４ｂへ流入され得る恐れを解決するための構成である。
【００３７】
また、回収チャンバー５１ｃに構成される回収管５６ｂの一側端は、図９のように、回収チャンバー５１ｃ内に収容された水が形成する水面より低い位置に構成されることで、スチームチャンバー５４ｂからスチーム管４１ａ、４１ｂへ供給されるスチームが回収チャンバー５１ｃへ直接流入されてスチームの効率性が劣るという恐れを解決することができる。
【００３８】
尚、前記加熱チャンバー５３ｂは、図９または図１１のように、回収チャンバー５１ｃの一側に具備されて回収チャンバー５１ｃの水が水よけ５７ｃの下部に構成された流入孔５８ｅを通じて供給され、収容された水をヒーター５９ｃで加熱してスチームを生成する構成である。この際、回収チャンバー５１ｃと加熱チャンバー５３ｂを区分する水よけ５７ｃの下部に構成される流入孔５８ｅは、加熱チャンバー５３ｂ内から生成されたスチームが回収チャンバー５１ｃへ流入することを防ぐと同時に、回収チャンバー５１ｃに収容された水を加熱チャンバー５３ｂに効果的に流入可能な効果を奏する。
【００３９】
さらに前記加熱チャンバー５３ｂの上部に具備され、スチームが排気されるスチーム管４１ａ、４１ｂと内部空間を開閉するカバー６１ｂとが構成されるスチームチャンバー５４ｂは、加熱チャンバー５３ｂから生成されたスチームが放出される加熱チャンバー５３ｂの上部に具備され、薬材（蓬・ハーブ・蜜柑の皮・漢方材・フィトンチッド（ｐｈｙｔｏｎｃｉｄｅ）含有物など）が収容される薬材入れ６５を上部面に位置させる薬材入れ支え板６０が内部に安着されるようにする構成を有する。この際、スチームチャンバー５４ｂは、内部に薬材入れ支え板６０を安着するために、図９のように、一定の支え段差６２が構成されることが好ましい。また、前記薬材入れ支え板６０は、薬材を内在してスチームが内部空間に浸透するように網状に具備された薬材入れ６５を上部面（突出棒６３）に安着できるように、図９のように、一定の高さを有する複数の突出棒６３が上部面に構成される多孔性の板６４状に構成されることが好ましい。前記のような構成の薬材入れ支え板６０は、突出棒６３が多孔性の板６４の上部面と薬材入れ６５の下部面との間に一定の高さだけの空間を形成するため、網状に具備される薬材入れ６５の内部空間にスチームを効果的に浸透可能にする効果が得られるようにする。
【００４０】
また、本発明は水ポンプ９０として前記構成のスチーム器５０ａ、５０ｂに水を供給するメイン水タンク７０及び、メイン水タンク７０とスチーム器（５０ｂ、以下'スチーム器５０ｂ'と称するのはスチーム器５０ａも含む概念である）の間に構成されてスチーム器５０ａへ供給される水の量を制御する補助水タンク８０を提示して、メイン水タンク７０からスチーム器５０ａの給水チャンバー（５１ｂ、以下'給水チャンバー５１ｂ'と称するのはスチーム器５０ａの予熱チャンバー５１ａも含む概念である）へ供給される水の量を正確に調節できるようにする効果が得られる。
【００４１】
即ち、前記メイン水タンク７０は、コントローラ１４によって作動するヒーター５９ｃの加熱で生成されてサウナ室３０へ供給されるスチームが抜けただけの水を給水チャンバー５１ｂへ提供する機能をするが、従来のメイン水タンク７０から給水チャンバー５１ｂへの水の供給は、単純に水ポンプ９０のみを利用して行われるため水位センサー５５によって水供給の中断の信号が水ポンプ９０へ伝達されても水ポンプ９０の作動中に加わっている一定の水圧と給水管の内部に加わっている一定の水圧によって水ポンプ９０及び給水管内部の水が給水チャンバー５１ｂへ流入されるという問題が起こり得るが、本発明は、図９または図１１のように、メイン水タンク７０と給水チャンバー５１ｂとの間に補助水タンク８０を構成して前記のような問題を解決した。
【００４２】
具体的に、本発明は、補助水タンク給水管７１を通じてメイン水タンク７０から補助水タンク８０へ水が供給され、給水チャンバー給水管８１を通じて補助水タンク８０から給水チャンバー５１ｂへ水が供給されるようにする構成であって、図９のように、補助水タンク８０はスチーム器５０ｂ及びメイン水タンク７０より高い位置に構成され、補助水タンク８０に水を供給する補助水タンク給水管７１の一側端とスチーム器５０ｂに水を供給する給水チャンバー 給水管８１の一側端を内在し、前記給水チャンバー給水管８１の一側端は、補助水タンク給水管７１の一側端より高い位置に構成した。即ち、前記のような補助水タンク８０は、水ポンプ９０の作動が中止した状態で水ポンプ９０及び補助水タンク給水管７１内の水圧によって漏れる可能性のある水ポンプ９０及び補助水タンク給水管７１内の水を、給水チャンバー５１ｂへ供給せずに補助水タンク８０内に収容されている水（補助水タンク給水管７１の一側端と給水チャンバー給水管８１の一側端が有する高さの差によって収容された一定量の水）の圧力によって抑える効果を奏し、水ポンプ９０の作動時には、補助水タンク給水管７１を通じて補助水タンク８０へ供給され、補助水タンク８０に内在した給水チャンバー給水管８１の一側端を超えて収容された水が給水チャンバー給水管８１の内部へ自然に漏れて給水チャンバー５１ｂへ供給されるようにした構成をして正確な量の水をメイン水タンク７０から給水チャンバー５１ｂへ供給できるようにし、これはスチーム器５０ｂへ供給される水の量を正確に調節してスチーム器５０ｂから生成されるスチームの量を適切に調節可能にするという効果を奏する。この際、補助水タンク８０の上部の一定の位置には補助水タンク８０内に加わる圧力を調節するため、所定の大きさの通気孔８２を構成することが好ましい。
【００４３】
前記は本発明の好ましい実施例を参考にして説明したが、前記の実施例に限られず、前記の実施例を通して本発明が属する技術分野において通常の知識を有する者が本発明の旨を外れない範囲内で様々な変更にて実施できるものである。
【図１】
0005385461.tif 000002
【図２】
0005385461.tif 000003
【図３】
0005385461.tif 000004
【図４】
0005385461.tif 000005
【図５】
0005385461.tif 000006
【図６】
0005385461.tif 000007
【図７】
0005385461.tif 000008
【図８】
0005385461.tif 000009
【図９】
0005385461.tif 000010
【図１０】
0005385461.tif 000011
【図１１】
0005385461.tif 000012